(57)【要約】【課題】ユーザが位置指示操作しやすい位置にソフトウェアキーを表示させ確実にソフトウェアキーの位置指示操作をできるようにする。【解決手段】表示部を備え、表示部上に配置されたタッチパネルで指示された位置を検出し、表示部に表示される内容の縦或いは横の向きを判別し、検出された位置に判別された向きに応じたソフトウェアキーを表示し、表示されたソフトウェアキーに対するタッチパネルで指示され検出される位置の検出領域を制御する。【選択図】  図１
2010170394.tif 000002
【特許請求の範囲】
【請求項１】
表示部を備える端末装置であって、
前記表示部上で指示された位置を検出する位置検出手段と、
前記表示部に表示される内容の向きを判別する向き判別手段と、
前記位置検出手段により検出された位置に前記向き判別手段により判別された向きに応じたソフトウェアキーを表示する表示制御手段と、
前記表示制御手段により表示されたソフトウェアキーに対する前記位置検出手段により検出される位置の検出領域を制御する検出領域制御手段と、
を備えることを特徴とする端末装置。
【請求項２】
前記検出領域制御手段は、前記位置検出手段で検出される位置の検出領域を前記表示制御手段により表示されたソフトウェアキーの表示位置に対し、前記向き検出手段により検出された向きに応じて変更することを特徴とする請求項１に記載の端末装置。
【請求項３】
前記検出領域制御手段は、該検出領域制御手段により制御される検出領域と重なる位置に他のソフトウェアキーの指示位置の検出領域が存在する場合は、該検出領域制御手段により制御される検出領域を調整することを特徴とする請求項２に記載の端末装置。
【請求項４】
前記検出領域制御手段は、該検出領域制御手段により制御される検出領域と重なる位置に他のソフトウェアキーの表示が存在する場合は、該検出領域制御手段により制御される検出領域を優先することを特徴とする請求項２に記載の端末装置。
【請求項５】
前記表示制御手段は、前記重なる位置の他のソフトウェアキーを無効表示にすることを特徴とする請求項４に記載の端末装置。
【請求項６】
前記表示制御手段は、前記位置検出部により検出された位置に位置指示の対象となるオブジェクトがない場合に、前記ソフトウェアキーを表示することを特徴とする請求項１に記載の端末装置。
【請求項７】
前記表示制御手段は、該表示制御手段によるソフトウェアキー表示中に前記位置検出手段により検出された位置に位置指示の対象となるオブジェクトがない場合に、ソフトウェアキーを消去することを特徴とする請求項６に記載の端末装置。
【請求項８】
前記表示制御手段は、前記位置検出手段により検出された位置が前記表示部の周辺部で該表示制御手段により表示されるソフトウェアキーが前記表示部に収まらない場合は、前記ソフトウェアキーを該表示部に収まる位置に移動して表示することを特徴とする請求項１に記載の端末装置。
【請求項９】
当該端末装置は複数の形態をとることが更に可能であって、
前記複数の形態のうち現在の形態を判別する形態判別手段を更に備え、
前記表示制御手段は、前記形態判別手段により判別された形態が所定の形態である場合に前記ソフトウェアキーの表示を行なうことを特徴とする請求項１に記載の端末装置。
【請求項１０】
前記向き判別手段は、当該端末装置の向きを検出して判別することを特徴とする請求項１に記載の端末装置。
【請求項１１】
表示部を備える端末装置であって、
前記表示部に表示される内容の向きを判別する向き判別手段と、
前記表示部にソフトウェアキーを表示する表示制御手段と、
前記表示制御手段により表示されたソフトウェアキーに対する前記位置検出手段により検出される位置の検出領域を前記表示制御手段により表示されたソフトウェアキーの表示位置に対し前記向き検出手段により検出された向きに応じて変更する検出領域制御手段と、
を備えることを特徴とする端末装置。
【請求項１２】
前記表示部上で指示された位置を検出する位置検出手段を更に備え、
前記表示制御手段は、前記位置検出手段により検出された位置に更に応じて前記ソフトウェアキーを表示することを特徴とする請求項１１に記載の端末装置。
【請求項１３】
当該端末装置は複数の形態をとることが更に可能であって、
前記複数の形態のうち現在の形態を判別する形態判別手段を更に備え、
前記表示制御手段は、前記形態判別手段により判別された形態が所定の形態である場合に前記ソフトウェアキーの表示を行なうことを特徴とする請求項１２に記載の端末装置。
【請求項１４】
表示部を備えるコンピュータを、
前記表示部上で指示された位置を検出する位置検出手段と、
前記表示部に表示される内容の向きを判別する向き判別手段と、
前記位置検出手段により検出された位置に前記向き判別手段により判別された向きに応じたソフトウェアキーを表示する表示制御手段と、
前記表示制御手段により表示されたソフトウェアキーに対する前記位置検出手段により検出される位置の検出領域を制御する検出領域制御手段として機能させるためのプログラム。
【請求項１５】
表示部を備えるコンピュータを、
前記表示部に表示される内容の向きを判別する向き判別手段と、
前記表示部にソフトウェアキーを表示する表示制御手段と、
前記表示制御手段により表示されたソフトウェアキーに対する前記位置検出手段により検出される位置の検出領域を前記表示制御手段により表示されたソフトウェアキーの表示位置に対し前記向き検出手段により検出された向きに応じて変更する検出領域制御手段として機能させるためのプログラム。
【発明の詳細な説明】
【技術分野】
【０００１】
この発明は、表示上の位置を検出する検出手段を備える端末装置、及びプログラムに関する。
【背景技術】
【０００２】
タッチパネルに代表される表示上の位置を検出する検出手段を備える端末装置では表示部にソフトウェアキーを表示し、タッチパネル上でタッチ操作された位置の座標を検出し、検出された座標に対応するソフトウェアキーの機能を実行する技術が広く利用されている。ソフトウェアキーは端末装置で実行中の状態に応じて任意に必要なキーのみをユーザに提供することが可能なため、分かりやすく使い勝手を向上させるものである。この機能を更に向上させるため端末装置の保持方向（縦横）に応じてソフトウェアキーの表示方向も合わせて変更する技術も開示されている（特許文献１参照）。
【先行技術文献】
【特許文献】
【０００３】
【特許文献１】特開２００１−２４２８４５号公報
【発明の概要】
【発明が解決しようとする課題】
【０００４】
しかしながら、上述した先行技術にあっては、ソフトウェアキーのキーの位置は固定されているため、操作する手が右手か左手か、或いは表示されている内容との関係で使用頻度の高いキーであっても操作しやすくない位置になってしまうことがあるという問題がある。
【０００５】
本発明の課題は、ユーザが位置指示操作しやすい位置にソフトウェアキーを表示させ確実にソフトウェアキーの位置指示操作をできるようにすることである。
【０００６】
上述した課題を解決するために請求項１記載の発明は、表示部を備える端末装置であって、前記表示部上で指示された位置を検出する位置検出手段と、前記表示部に表示される内容の向きを判別する向き判別手段と、前記位置検出手段により検出された位置に前記向き判別手段により判別された向きに応じたソフトウェアキーを表示する表示制御手段と、前記表示制御手段により表示されたソフトウェアキーに対する前記位置検出手段により検出される位置の検出領域を制御する検出領域制御手段と、を備えることを特徴とする。
【０００７】
請求項１に従属する発明として、前記検出領域制御手段は、前記位置検出手段で検出される位置の検出領域を前記表示制御手段により表示されたソフトウェアキーの表示位置に対し、前記向き検出手段により検出された向きに応じて変更するようにしたことを特徴とする請求項２記載の発明であってもよい。
【０００８】
請求項２に従属する発明として、前記検出領域制御手段は、該検出領域制御手段により制御される検出領域と重なる位置に他のソフトウェアキーの指示位置の検出領域が存在する場合は、該検出領域制御手段により制御される検出領域を調整するようにしたことを特徴とする請求項３記載の発明であってもよい。
【０００９】
請求項２に従属する発明として、前記検出領域制御手段は、該検出領域制御手段により制御される検出領域と重なる位置に他のソフトウェアキーの表示が存在する場合は、該検出領域制御手段により制御される検出領域を優先するようにしたことを特徴とする請求項４記載の発明であってもよい。
【００１０】
請求項４に従属する発明として、前記表示制御手段は、前記重なる位置の他のソフトウェアキーを無効表示にするようにしたことを特徴とする請求項５記載の発明であってもよい。
【００１１】
請求項１に従属する発明として、前記表示制御手段は、前記位置検出部により検出された位置に位置指示の対象となるオブジェクトがない場合に、前記ソフトウェアキーを表示するようにしたことを特徴とする請求項６記載の発明であってもよい。
【００１２】
請求項６に従属する発明として、前記表示制御手段は、該表示制御手段によるソフトウェアキー表示中に前記位置検出手段により検出された位置に位置指示の対象となるオブジェクトがない場合に、ソフトウェアキーを消去するようにしたことを特徴とする請求項７記載の発明であってもよい。
【００１３】
請求項１に従属する発明として、前記表示制御手段は、前記位置検出手段により検出された位置が前記表示部の周辺部で該表示制御手段により表示されるソフトウェアキーが前記表示部に収まらない場合は、前記ソフトウェアキーを該表示部に収まる位置に移動して表示するようにしたことを特徴とする請求項８記載の発明であってもよい。
【００１４】
請求項１に従属する発明として、当該端末装置は複数の形態をとることが更に可能であって、前記複数の形態のうち現在の形態を判別する形態判別手段を更に備え、前記表示制御手段は、前記形態判別手段により判別された形態が所定の形態である場合に前記ソフトウェアキーの表示を行なうようにしたことを特徴とする請求項９記載の発明であってもよい。
【００１５】
請求項１に従属する発明として、前記向き判別手段は、当該端末装置の向きを検出して判別するようにしたことを特徴とする請求項１０記載の発明であってもよい。
【００１６】
また、上述した課題を解決するために請求項１１記載の発明は、表示部を備える端末装置であって、前記表示部に表示される内容の向きを判別する向き判別手段と、前記表示部にソフトウェアキーを表示する表示制御手段と、前記表示制御手段により表示されたソフトウェアキーに対する前記位置検出手段により検出される位置の検出領域を前記表示制御手段により表示されたソフトウェアキーの表示位置に対し前記向き検出手段により検出された向きに応じて変更する検出領域制御手段と、を備えることを特徴とする。
【００１７】
請求項１１に従属する発明として、前記表示部上で指示された位置を検出する位置検出手段を更に備え、前記表示制御手段は、前記位置検出手段により検出された位置に更に応じて前記ソフトウェアキーを表示するようにしたことを特徴とする請求項１２記載の発明であってもよい。
【００１８】
請求項１２に従属する発明として、当該端末装置は複数の形態をとることが更に可能であって、前記複数の形態のうち現在の形態を判別する形態判別手段を更に備え、前記表示制御手段は、前記形態判別手段により判別された形態が所定の形態である場合に前記ソフトウェアキーの表示を行なうようにしたことを特徴とする請求項１３記載の発明であってもよい。
【００１９】
また、上述した課題を解決するために請求項１４記載の発明は、表示部を備えるコンピュータを、前記表示部上で指示された位置を検出する位置検出手段と、前記表示部に表示される内容の向きを判別する向き判別手段と、前記位置検出手段により検出された位置に前記向き判別手段により判別された向きに応じたソフトウェアキーを表示する表示制御手段と、前記表示制御手段により表示されたソフトウェアキーに対する前記位置検出手段により検出される位置の検出領域を制御する検出領域制御手段として機能させるためのプログラムを特徴とする。
【００２０】
また、上述した課題を解決するために請求項１５記載の発明は、表示部を備えるコンピュータを、前記表示部に表示される内容の向きを判別する向き判別手段と、前記表示部にソフトウェアキーを表示する表示制御手段と、前記表示制御手段により表示されたソフトウェアキーに対する前記位置検出手段により検出される位置の検出領域を前記表示制御手段により表示されたソフトウェアキーの表示位置に対し前記向き検出手段により検出された向きに応じて変更する検出領域制御手段として機能させるためのプログラムを特徴とする。
【発明の効果】
【００２１】
この発明によれば、ユーザが位置指示操作しやすい位置にソフトウェアキーを表示させ確実にソフトウェアキーの位置指示操作ができる。
【図面の簡単な説明】
【００２２】
【図１】端末装置として適用した携帯電話機の基本的な構成要素を示したブロック図。
【図２】携帯電話機の外観図で、（１）は操作部筐体Ａと表示部筐体Ｂとの折り畳みを開いた状態のオープンスタイルを示した図、（２）は上述のオープンスタイルから操作部筐体Ａに対して表示部筐体Ｂを１８０°回転させたのち、操作部筐体Ａに対して表示部筐体Ｂを折り畳んだ状態のビュースタイルを示した図。
【図３】電源投入（オン）に応じて実行開始される携帯電話機の全体動作の概要を示したフローチャート。
【図４】図３の動作に続くフローチャート。
【図５】（１）〜（４）は、表示方向が縦向きでソフトウェアキー、文字入力領域以外がタッチ操作された場合の表示例を示した図。
【図６】（１）〜（２）は、表示方向が横向きでソフトウェアキー、文字入力領域以外がタッチ操作された場合の表示例を示した図。
【図７】（１）〜（２）は、表示方向が縦向きでタッチ操作された位置を中心としてポップアップキーが表示に収まらない場合の表示例を示した図。
【図８】（１）〜（４）は、表示方向が縦向きでポップアップキーの座標位置検出領域が他のソフトウェアキーの座標位置検出領域に重なる場合の表示例を示した図。
【図９】（１）〜（４）は、表示方向が縦向きでポップアップキーの座標位置検出領域が他のソフトウェアキーの表示に重なる場合の表示例を示した図。
【発明を実施するための形態】
【００２３】
以下、図１〜図９を参照して本発明の実施形態を説明する。
この実施形態は端末装置として携帯電話機に適用した場合を例示したもので、図１は、携帯電話機の基本的な構成要素を示したブロック図である。
制御部１は、二次電池を備えた電源部２からの電力供給によって動作し、記憶部３内の各種のプログラムに応じてこの携帯電話機の全体動作を制御するもので、この制御部１には図示しないＣＰＵ（中央演算処理装置）やメモリなどが設けられている。
【００２４】
記憶部３は、ＲＯＭ、ＲＡＭなどの内部メモリで、図示しないプログラム領域とデータ領域とを有し、このプログラム領域には、後述する図３〜図４に示す動作手順に応じて本実施形態を実現するためのプログラムが格納されている。記憶部３としては、例えば、ＳＤカード、ＩＣカードなど、着脱自在な可搬型メモリ（記録メディア）を含む構成、或いは図示しない所定の外部サーバ上にあってもよい。
【００２５】
操作部４は、ダイヤル入力、文字入力、コマンド入力などを行なうもので、制御部１は、操作部４からの操作信号に応じた処理として、例えば、発信処理、電子メール作成処理など、各種の処理を行なう。通信部５は、図示しない無線部、ベースバンド部、多重分離部などを備え、例えば、通話機能、電子メール機能、インターネット接続機能の動作時に最寄りの基地局との間でデータの送受信を行なうもので、通話機能の動作時にはベースバンド部の受信側から信号を取り込んで受信ベースバンド信号に復調したのち、電話部６を介して通話用スピーカＳＰから音声出力させ、また、通話用マイクＭＣからの入力音声データを電話部６から取り込み、送信ベースバンド信号に符号化したのち、ベースバンド部の送信側に与えてアンテナＡＮＴから発信出力させる。
【００２６】
表示部７は、例えば、高精細液晶、或いは有機ＥＬなどを使用し、アイコン、文字データ、待受画像、撮影画像などを表示するもので、その表示パネル上に指、器具などの物体のタッチ操作位置（座標位置）を検出する座標位置検出部（タッチ操作面を構成する透明なタッチパネル）８を積層配設することによってタッチ画面ＴＤを構成している。このタッチ画面ＴＤを構成する座標位置検出部８は、タッチ画面ＴＤ（表示部７）上においてその座標位置を入力する座標入力操作（タッチ操作）を検出する座標入力手段である。
【００２７】
向き検出部９は、３軸タイプの加速度センサなどによって構成されたもので、制御部１は向き検出部９からの検出信号に基づいて携帯電話機本体が重力方向に対して縦置きか、或いは横置きかを検出するようにしている。スタイル検出部１０は、携帯電話機本体を構成する複数の筐体の連結状態に応じて携帯電話機本体のスタイルを検出するもので、例えば、磁気センサ、マイクロスイッチ、機械的スイッチなどを有する構成で、制御部１は、スタイル検出部１０からの各検出信号に基づいて装置本体の各スタイルを判別するようにしている。
【００２８】
図２は、携帯電話機の外観図である。
携帯電話機は、その装置本体を構成する複数の筐体の連結状態に応じて複数のスタイルに変更可能な２軸ヒンジタイプの電話装置であり、装置本体を構成する操作部筐体Ａと表示部を有する表示部筐体Ｂとを折り畳み開閉自在及び回動自在にヒンジ部Ｃを介して連結した２軸ヒンジタイプである。このヒンジ部Ｃには操作部筐体Ａと表示部筐体Ｂとを折り畳み開閉するための開閉用ヒンジ軸が設けられているほか、この開閉用ヒンジ軸と略直交して、一方の筐体を他方の筐体に対して回動するための回動用ヒンジ軸とが設けられており、このヒンジ部Ｃを介して操作部筐体Ａと表示部筐体Ｂとは折り畳み開閉自在及び回動自在に連結されている。
【００２９】
このような２軸ヒンジタイプの携帯電話機は、操作部筐体Ａと表示部筐体Ｂとが、どのように連結されているかに応じて携帯電話機の形態を複数のスタイル（クローズスタイル、オープンスタイル、ビュースタイルなど）に変更可能なもので、図２（１）は、操作部筐体Ａと表示部筐体Ｂとの折り畳みを開いた状態のオープンスタイルを示している。なお、操作部筐体Ａの内面側には、図１で示した操作部４が配置され、表示部筐体Ｂの内面側には、図１で示したタッチ画面ＴＤが配置されている。したがって、オープンスタイルでは操作部４及びタッチ画面ＴＤが使用可能となると共にその表示内容が視認可能となる。図２（２）は、上述のオープンスタイルから操作部筐体Ａに対して表示部筐体Ｂを１８０°回転させたのち、操作部筐体Ａに対して表示部筐体Ｂを折り畳んだ状態のビュースタイルを示し、このビュースタイルでは操作部４が表示部筐体Ｂによって覆い隠されるが、タッチ画面ＴＤは露出した状態となる。
【００３０】
次に、この実施形態における携帯電話機の動作概念を図３〜図４に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。すなわち、記録媒体のほかに、伝送媒体を介して外部供給されたプログラム／データを利用してこの実施形態特有の動作を実行することもできる。
【００３１】
先ず、携帯電話機において制御部１は、電源オン操作が行なわれると、所定のメモリをクリアするなどの初期処理を行なったのち（図３のステップＳ１）、所定の待受画像を読み出して表示させながら待ち受け状態に移る（ステップＳ２）。
【００３２】
この待ち受け状態において、通信部５から電話の着信を検出すると（ステップＳ３でＹＥＳ）、回線接続させるオフフック操作に応答して（ステップＳ６でＹＥＳ）、通話可能状態とする通話処理を開始する（ステップＳ７）。また、その後のオンフック操作に応答して（ステップＳ８でＹＥＳ）、回線切断処理を実行したのち（ステップＳ９）、上述のステップＳ３に戻る。
【００３３】
ステップＳ３で電話の着信が検出されず（ステップＳ３でＮＯ）、タッチパネル上のタッチ操作が検出されると（ステップＳ４でＹＥＳ）、座標位置検出部８によりタッチ操作された位置の座標が検出され（ステップＳ１０）、検出された位置の座標がソフトウェアキーが表示されている領域か否かを判別し（ステップＳ１１）、ソフトウェアキーが表示されている領域であると判別された場合は（ステップＳ１１でＹＥＳ）、タッチ操作された位置のソフトウェアキーの処理を行ない（ステップＳ１３）、上述のステップＳ３に戻る。
図５（１）に例示する［？］［■］のようなソフトウェアキーの位置に該当する位置がタッチ操作されると［？］の場合はヘルプ画面を表示、［■］の場合は設定画面を表示といったような該当するソフトウェアキーの処理を行なう。
【００３４】
次にソフトウェアキーが表示されている領域でないと判別された場合は（ステップＳ１１でＮＯ）、文字入力領域であるか否かを判別し（ステップＳ１２）、文字入力領域であると判別された場合は（ステップＳ１２でＹＥＳ）、タッチ操作された位置にカーソルを移動し（ステップＳ１４）、上述のステップＳ３に戻る。
図５（１）に例示する［東京都東大和市］のような文字入力領域に該当する位置がタッチ操作されるとタッチ操作された位置にカーソルを移動する。
【００３５】
次に文字入力領域でないと判別された場合は（ステップＳ１２でＮＯ）、スタイル検出部１０により検出されるスタイルがビュースタイルであるか否かを判別し（図４のステップＳ２１）、スタイルがビュースタイルであると判別された場合は（ステップＳ２１でＹＥＳ）、本発明のタッチ操作位置に表示されるソフトウェアキーであるポップアップキーが表示されているか否かを判別し（ステップＳ２２）、スタイルがビュースタイルでないと判別された場合は（ステップＳ２１でＮＯ）、上述のステップＳ３に戻る。
【００３６】
ステップＳ２２でポップアップキーが表示されていないと判別された場合は（ステップＳ２２でＮＯ）、向き検出部９により携帯電話機本体の向きが縦置きであるか横置きであるか検出し、表示内容が縦向きであるか横向きであるかを判別し（ステップＳ２８）、タッチ操作された位置の座標を中心にポップアップキーが表示可能であるか否かを判別し（ステップＳ２９）、表示可能であると判別された場合は、（ステップＳ２９でＹＥＳ）、タッチ操作された位置の座標を中心に表示内容の向きに応じたポップアップキーを表示し（ステップＳ３０）、表示できないと判別された場合は、（ステップＳ２９でＮＯ）、表示に収まる位置に移動して表示内容の向きに応じたポップアップキーを表示する（ステップＳ３１）。
【００３７】
図５は表示方向が縦向きの場合を例示しており、図５（１）に例示するように他のソフトウェアキーでも文字入力領域でもない位置がタッチ操作されると図５（２）に例示するようにタッチ操作された位置の座標を中心に縦向きに応じてポップアップキーを表示する。
図６は表示方向が横向きの場合を例示しており、図６（１）に例示するように他のソフトウェアキーでも文字入力領域でもない位置がタッチ操作されると図６（２）に例示するようにタッチ操作された位置の座標を中心に横向きに応じてポップアップキーを表示する。
図７（１）に例示するようにタッチ操作された位置の座標を中心としてポップアップキーが表示に収まらない位置がタッチ操作された場合は、図７（２）に例示するように表示に収まるようにポップアップキーを移動して表示する。
【００３８】
次に表示内容の向きに応じた座標位置検出領域を設定する（ステップＳ３２）。
座標位置検出領域とは図５（２）、図６（２）、図７（２）に例示するポップアップキーの周囲に破線で示した領域に相当し（実際の画面には表示されない）、表示に対して若干ずれた位置がタッチ操作されてもこのソフトウェアキーがタッチ操作されたであろうと検出する領域で、ソフトウェアキーの表示よりも拡張して設定する。特にずれてタッチ操作されやすい下方向に広く設定する。
【００３９】
次に設定された座標位置検出領域と座標位置検出領域が重なる他のソフトウェアキーがあるか否かを判別し（ステップＳ３３）、あると判別された場合は（ステップＳ３３でＹＥＳ）、検出領域を調整し（ステップＳ３４）、ないと判別された場合は（ステップＳ３３でＮＯ）、ステップＳ３５に進む。
図８（１）に例示ようにポップアップキーの座標位置検出領域が他のソフトウェアキーの座標位置検出領域に重なる位置がタッチ操作された場合は、図８（２）に例示するように重なる座標位置検出領域を重ならないように調節する。調整方法は種々の方法が考えられるが重なる面積を等分する方法が容易である。
【００４０】
次に設定された座標位置検出領域と表示が重なる他のソフトウェアキーがあるか否かを判別し（ステップＳ３５）、あると判別された場合は（ステップＳ３５でＹＥＳ）、重なるソフトウェアキーを無効表示にし（ステップＳ３６）、上述のステップＳ３に戻り、ないと判別された場合は（ステップＳ３５でＮＯ）、上述のステップＳ３に戻る。
図９（１）に例示するようにポップアップキーの座標位置検出領域が他のソフトウェアキーの表示に重なる位置がタッチ操作された場合は、図９（２）に例示するように重なるソフトウェアキーを無効表示にする。無効表示はユーザに識別できるようにグレイアウト表示、或いはハッチング表示などを行なう。
この例では常時表示されるソフトウェアキーにポップアップキーが重なった場合に無効表示としているが、ポップアップキーのタッチ操作から更に表示されたポップアップキーが前のポップアップキーと重なる場合も、後から表示されたポップアップキーが優先され、前のポップアップキーを無効表示とする。
また、重なるソフトウェアキーを無効表示とする代わりに優先するポップアップキーを視覚的に目立つ表示に変えるようにしてもよい。
【００４１】
なお、ステップＳ２８で向き検出部９により表示内容の向きを判別したが、縦向きモード、或いは横向きモードのようにソフトウェアで切り替えられる表示モードのうち現在どちらの表示モードであるかを判別するようにしてもよい。
【００４２】
ステップＳ２２でポップアップキーが表示されていると判別された場合は（ステップＳ２２でＹＥＳ）、表示しているポップアップキーを消去する（ステップＳ２３）。
図５（３）に例示するように他のソフトウェアキーでも文字入力領域でも、ポップアップキーでもない位置がタッチ操作されると図５（４）に例示するようにポップアップキーを消去する。
【００４３】
次に座標位置検出領域の調整を行なっているソフトウェアキーがあるか否かを判別し（ステップＳ２４）、検出領域の調整を行なっているソフトウェアキーがあると判別された場合は（ステップＳ２４でＹＥＳ）、検出領域の調節を解除し（ステップＳ２５）、検出領域の調整を行なっているソフトウェアキーがないと判別された場合は（ステップＳ２４でＮＯ）、ステップＳ２６に進む。
図８（３）に例示するように座標位置検出領域の調整が行なわれている状態で他のソフトウェアキーでも文字入力領域でも、ポップアップキーでもない位置がタッチ操作されると図８（４）に例示するようにポップアップキーを消去すると共に座標位置検出領域の調整を解除する。
【００４４】
次に無効表示を行なっているソフトウェアキーがあるか否かを判別し（ステップＳ２６）、無効表示を行なっているソフトウェアキーがあると判別された場合は（ステップＳ２６でＹＥＳ）、無効表示を解除し（ステップＳ２７）、上述のステップＳ３に戻り、無効表示を行なっているソフトウェアキーがないと判別された場合は（ステップＳ２６でＮＯ）、上述のステップＳ３に戻る。
図９（３）に例示するように無効表示が行なわれている状態で他のソフトウェアキーでも文字入力領域でも、ポップアップキーでもない位置がタッチ操作されると図９（４）に例示するようにポップアップキーを消去すると共に無効表示を解除する。
【００４５】
図３のステップＳ４でタッチパネル上のタッチ操作が検出されず、その他の何らかの操作が行なわれた場合には（ステップＳ５でＹＥＳ）、操作に応じた処理が行なわれる（ステップＳ１５）。例えば、ユーザ操作に応じて任意の時計時刻を設定する処理、音声電話発信処理などが行なわれる。
【００４６】
以上のように、この実施形態における携帯電話機は、表示部を備え、表示部上で指示された位置を検出し、表示部に表示される内容の向きを判別し、検出された位置に判別された向きに応じたソフトウェアキーを表示し、表示されたソフトウェアキーに対する検出される位置の検出領域を制御するようにしたことで、表示内容の向き、操作する手が右手か左手か、或いは表示されている内容などに応じて使いやすい位置に必要なときだけソフトウェアキーを表示させることができる。
【００４７】
また、検出される位置の検出領域を表示されたソフトウェアキーの表示位置に対し、検出された向きに応じて変更する設定するようにしたことで、表示部の狭い携帯電話機のような場合であって表示上で指示された位置が表示しているソフトウェアキーと若干ずれても、正しいと判断される位置指示操作を検出することができる。
【００４８】
更に、検出領域制御手段により制御される検出領域と重なる位置に他のソフトウェアキーの指示位置の検出領域が存在する場合は、検出領域を調整するようにしたことで、意図しないソフトウェアキーが位置指示操作されたと検出されないようにできる。
【００４９】
また、検出領域制御手段により制御される検出領域と重なる位置に他のソフトウェアキーの表示が存在する場合は、検出領域制御手段により制御される検出領域を優先するようにしたことで、ユーザが意識して表示させたソフトウェアキーを優先して機能させることができる。
【００５０】
更に、重なる位置の他のソフトウェアキーを無効表示にするようにしたことで、ユーザにソフトウェアキーが無効であることを知らせることができる。
【００５１】
また、検出された位置に位置指示の対象となるオブジェクトがない場合に、ソフトウェアキーを表示するようにしたことで、他の表示上の位置指示操作との両立が可能で無駄のない位置指示操作を提供できる。
【００５２】
更に、ソフトウェアキー表示中に検出された指示操作された位置に表示上の位置指示操作の対象となるオブジェクトがない場合に、ソフトウェアキーを消去するようにしたことで、ソフトウェアキー表示時と同様の操作で不要となったソフトウェアキーの消去が行なえる。
【００５３】
また、検出された位置が表示部の周辺部で表示されるソフトウェアキーが表示部に収まらない場合は、ソフトウェアキーを表示部に収まる位置に移動して表示するようにしたことで、周辺部しか位置指示操作できない状態であっても、ソフトウェアキーを確実に表示させることができる。
【００５４】
更に、複数の形態をとることが更に可能で、複数の形態のうち現在の形態を判別し、判別された形態が所定の形態である場合にソフトウェアキーの表示を行なうようにしたことで、別途備える操作部が隠れるような形態の場合のみ操作部に相当するソフトウェアキーを表示させることで、操作性を高めることができる。
【００５５】
また、表示内容の向きを、当該端末装置の向きを検出して判別するようにしたことで、ユーザの特別な操作を行なうことなく向きに応じたソフトウェアキーを表示できる。
【００５６】
更に、表示部を備え、表示部に表示される内容の向きを判別し、表示部にソフトウェアキーを表示し、表示されたソフトウェアキーに対する検出される位置の検出領域を表示されたソフトウェアキーの表示位置に対し検出された向きに応じて変更するようにしたことで、表示部の狭い携帯電話機のような場合であって表示上で位置指示操作された位置が表示しているソフトウェアキーと若干ずれても、表示内容の向きに応じて、正しいと判断される指示位置操作位置の検出をすることができる。
【００５７】
また、表示部上で指示された位置を検出し、検出された位置に更に応じてソフトウェアキーを表示するようにしたことで、表示内容の向き、操作する手が右手か左手か、或いは表示されている内容などに応じて使いやすい位置に必要なときだけソフトウェアキーを表示させることができる。
【００５８】
更に、当該端末装置は複数の形態をとることが可能で、複数の形態のうち現在の形態を判別し、判別された形態が所定の形態である場合にソフトウェアキーの表示を行なうようにしたことで、別途備える操作部が隠れるような形態の場合のみ操作部に相当するソフトウェアキーを表示させることで、操作性を高めることができる。
【００５９】
なお、本発明の適用は、端末装置として携帯電話機に限らず、その他パーソナルコンピュータ、ＰＤＡ、デジタルカメラ、音楽プレイヤー、ゲーム機器、或いはそれらの複合機などであってもよい。
【符号の説明】
【００６０】
１  制御部
２  電源部
３  記憶部
４  操作部
５  通信部
６  電話部
７  表示部
８  座標位置検出部
９  向き検出部
１０  スタイル検出部
【図１】
2010170394.tif 000003
【図２】
2010170394.tif 000004
【図３】
2010170394.tif 000005
【図４】
2010170394.tif 000006
【図５】
2010170394.tif 000007
【図６】
2010170394.tif 000008
【図７】
2010170394.tif 000009
【図８】
2010170394.tif 000010
【図９】
2010170394.tif 000011
【手続補正書】
【提出日】平成21年11月24日(2009.11.24)
【手続補正１】
【補正対象書類名】特許請求の範囲
【補正対象項目名】全文
【補正方法】変更
【補正の内容】
【特許請求の範囲】
【請求項１】
表示部を備える端末装置であって、
前記表示部上で指示された位置を検出する位置検出手段と、
前記表示部に表示される内容の向きを判別する向き判別手段と、
前記位置検出手段により検出された位置に前記向き判別手段により判別された向きに応じたソフトウェアキーを表示する表示制御手段と、
前記表示制御手段により表示されたソフトウェアキーに対する位置指示操作検出領域を前記向き判別手段により判別された向きに応じて変更するように制御を行う検出領域制御手段と、
を備えることを特徴とする端末装置。
【請求項２】
前記検出領域制御手段は、該検出領域制御手段により制御される位置指示操作検出領域と重なる位置に他のソフトウェアキーの位置指示操作検出領域が存在する場合は、該検出領域制御手段により制御される位置指示操作検出領域を調整することを特徴とする請求項１に記載の端末装置。
【請求項３】
前記検出領域制御手段は、該検出領域制御手段により制御される位置指示操作検出領域と重なる位置に他のソフトウェアキーの表示が存在する場合は、該検出領域制御手段により制御される位置指示操作検出領域を優先することを特徴とする請求項１に記載の端末装置。
【請求項４】
前記表示制御手段は、前記重なる位置の他のソフトウェアキーを無効表示にすることを特徴とする請求項３に記載の端末装置。
【請求項５】
前記表示制御手段は、前記位置検出手段により検出された位置に位置指示の対象となるオブジェクトがない場合に、前記ソフトウェアキーを表示することを特徴とする請求項１に記載の端末装置。
【請求項６】
前記表示制御手段は、該表示制御手段によるソフトウェアキー表示中に前記位置検出手段により検出された位置に位置指示の対象となるオブジェクトがない場合に、ソフトウェアキーを消去することを特徴とする請求項５に記載の端末装置。
【請求項７】
前記表示制御手段は、前記位置検出手段により検出された位置が前記表示部の周辺部で該表示制御手段により表示されるソフトウェアキーが前記表示部に収まらない場合は、前記ソフトウェアキーを該表示部に収まる位置に移動して表示することを特徴とする請求項１に記載の端末装置。
【請求項８】
当該端末装置は複数の形態をとることが更に可能であって、
前記複数の形態のうち現在の形態を判別する形態判別手段を更に備え、
前記表示制御手段は、前記形態判別手段により判別された形態が所定の形態である場合に前記ソフトウェアキーの表示を行なうことを特徴とする請求項１に記載の端末装置。
【請求項９】
前記向き判別手段は、当該端末装置の向きを検出して判別することを特徴とする請求項１に記載の端末装置。
【請求項１０】
表示部を備えるコンピュータを、
前記表示部上で指示された位置を検出する位置検出手段、
前記表示部に表示される内容の向きを判別する向き判別手段、
前記位置検出手段により検出された位置に前記向き判別手段により判別された向きに応じたソフトウェアキーを表示する表示制御手段、
前記表示制御手段により表示されたソフトウェアキーに対する位置指示操作検出領域を前記向き判別手段により判別された向きに応じて変更するように制御を行う検出領域制御手段、
として機能させるためのプログラム。
【手続補正２】
【補正対象書類名】明細書
【補正対象項目名】０００６
【補正方法】変更
【補正の内容】
【０００６】
上述した課題を解決するために請求項１記載の発明は、表示部を備える端末装置であって、前記表示部上で指示された位置を検出する位置検出手段と、前記表示部に表示される内容の向きを判別する向き判別手段と、前記位置検出手段により検出された位置に前記向き判別手段により判別された向きに応じたソフトウェアキーを表示する表示制御手段と、前記表示制御手段により表示されたソフトウェアキーに対する位置指示操作検出領域を前記向き判別手段により判別された向きに応じて変更するように制御を行う検出領域制御手段と、を備えることを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
請求項１に従属する発明として、前記検出領域制御手段は、該検出領域制御手段により制御される検出領域と重なる位置に他のソフトウェアキーの指示位置の検出領域が存在する場合は、該検出領域制御手段により制御される検出領域を調整するようにしたことを特徴とする請求項２記載の発明であってもよい。
【手続補正５】
【補正対象書類名】明細書
【補正対象項目名】０００９
【補正方法】変更
【補正の内容】
【０００９】
請求項１に従属する発明として、前記検出領域制御手段は、該検出領域制御手段により制御される検出領域と重なる位置に他のソフトウェアキーの表示が存在する場合は、該検出領域制御手段により制御される検出領域を優先するようにしたことを特徴とする請求項３記載の発明であってもよい。
【手続補正６】
【補正対象書類名】明細書
【補正対象項目名】００１０
【補正方法】変更
【補正の内容】
【００１０】
請求項３に従属する発明として、前記表示制御手段は、前記重なる位置の他のソフトウェアキーを無効表示にするようにしたことを特徴とする請求項４記載の発明であってもよい。
【手続補正７】
【補正対象書類名】明細書
【補正対象項目名】００１１
【補正方法】変更
【補正の内容】
【００１１】
請求項１に従属する発明として、前記表示制御手段は、前記位置検出手段により検出された位置に位置指示の対象となるオブジェクトがない場合に、前記ソフトウェアキーを表示するようにしたことを特徴とする請求項５記載の発明であってもよい。
【手続補正８】
【補正対象書類名】明細書
【補正対象項目名】００１２
【補正方法】変更
【補正の内容】
【００１２】
請求項５に従属する発明として、前記表示制御手段は、該表示制御手段によるソフトウェアキー表示中に前記位置検出手段により検出された位置に位置指示の対象となるオブジェクトがない場合に、ソフトウェアキーを消去するようにしたことを特徴とする請求項６記載の発明であってもよい。
【手続補正９】
【補正対象書類名】明細書
【補正対象項目名】００１３
【補正方法】変更
【補正の内容】
【００１３】
請求項１に従属する発明として、前記表示制御手段は、前記位置検出手段により検出された位置が前記表示部の周辺部で該表示制御手段により表示されるソフトウェアキーが前記表示部に収まらない場合は、前記ソフトウェアキーを該表示部に収まる位置に移動して表示するようにしたことを特徴とする請求項７記載の発明であってもよい。
【手続補正１０】
【補正対象書類名】明細書
【補正対象項目名】００１４
【補正方法】変更
【補正の内容】
【００１４】
請求項１に従属する発明として、当該端末装置は複数の形態をとることが更に可能であって、前記複数の形態のうち現在の形態を判別する形態判別手段を更に備え、前記表示制御手段は、前記形態判別手段により判別された形態が所定の形態である場合に前記ソフトウェアキーの表示を行なうようにしたことを特徴とする請求項８記載の発明であってもよい。
【手続補正１１】
【補正対象書類名】明細書
【補正対象項目名】００１５
【補正方法】変更
【補正の内容】
【００１５】
請求項１に従属する発明として、前記向き判別手段は、当該端末装置の向きを検出して判別するようにしたことを特徴とする請求項９記載の発明であってもよい。
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】変更
【補正の内容】
【００１９】
また、上述した課題を解決するために請求項１０記載の発明は、表示部を備えるコンピュータを、前記表示部上で指示された位置を検出する位置検出手段、前記表示部に表示される内容の向きを判別する向き判別手段、前記位置検出手段により検出された位置に前記向き判別手段により判別された向きに応じたソフトウェアキーを表示する表示制御手段、前記表示制御手段により表示されたソフトウェアキーに対する位置指示操作検出領域を前記向き判別手段により判別された向きに応じて変更するように制御を行う検出領域制御手段、として機能させるためのプログラムを特徴とする。
【手続補正１６】
【補正対象書類名】明細書
【補正対象項目名】００２０
【補正方法】削除
【補正の内容】
【手続補正書】
【提出日】平成22年4月19日(2010.4.19)
【手続補正１】
【補正対象書類名】特許請求の範囲
【補正対象項目名】全文
【補正方法】変更
【補正の内容】
【特許請求の範囲】
【請求項１】
タッチ画面を備えた表示部を有する端末装置において、
表示部のタッチ画面でのタッチ操作位置を検出する位置検出手段と、
装置筐体の向きを検出する向き検出手段と、
前記向き検出手段により検出された装置筐体の向きから表示の向きを判別する向き判別手段と、
表示部のタッチ画面において、前記位置検出手段により検出されたタッチ操作位置に、前記向き判別手段により判別された表示の向きに応じたソフトウェアキーを表示する表示制御手段と、
前記表示制御手段により表示部のタッチ画面に表示されたソフトウェアキーの表示領域よりも広い領域であって、当該ソフトウェアキーへのタッチ操作を検出するタッチ操作検出領域を設定するタッチ操作検出領域設定手段と
を備えることを特徴とする端末装置。
【請求項２】
前記タッチ操作検出領域設定手段により設定された第１のタッチ操作検出領域と、他のソフトウェアキーの第２のタッチ操作検出領域との重複の有無を判別する検出領域重複判別手段を更に備え、
前記タッチ操作検出領域設定手段は、前記検出領域重複判別手段により第１のタッチ操作検出領域が第２のタッチ操作検出領域に重なると判別された場合に、当該第２のタッチ操作検出領域と重ならないように第１のタッチ操作検出領域を調整することを特徴とする請求項１記載の端末装置。
【請求項３】
前記タッチ操作検出領域設定手段により設定された第１のタッチ操作検出領域と、他のソフトウェアキーの表示領域との重複の有無を判別する表示領域重複判別手段と、
前記表示領域重複判別手段により第１のタッチ操作検出領域が他のソフトウェアキーの表示領域に重なると判別された場合に、当該他のソフトウェアキーの無効を表示する無効表示手段と
を更に備えることを特徴とする請求項１記載の端末装置。
【請求項４】
前記表示制御手段は、前記位置検出手段により検出されたタッチ操作位置にタッチ操作の対象となるオブジェクトがない場合、前記ソフトウェアキーを表示することを特徴とする請求項１記載の端末装置。
【請求項５】
前記表示制御手段は、ソフトウェアキーを表示中に、前記位置検出手段により検出されたタッチ操作位置にタッチ操作の対象となるオブジェクトがない場合、その表示中のソフトウェアキーを消去することを特徴とする請求項１記載の端末装置。
【請求項６】
前記表示制御手段は、前記位置検出手段により検出されたタッチ操作位置が前記表示部の周辺部で該表示制御手段により表示されるソフトウェアキーが前記表示部に収まらない場合は、前記ソフトウェアキーを該表示部に収まる位置に移動して表示することを特徴とする請求項１記載の端末装置。
【請求項７】
当該端末装置は複数の形態をとることが更に可能であって、
前記複数の形態のうち現在の形態を判別する形態判別手段を更に備え、
前記表示制御手段は、前記形態判別手段により判別された形態が所定の形態である場合に前記ソフトウェアキーの表示を行なうことを特徴とする請求項１に記載の端末装置。
【請求項８】
タッチ画面を備えた表示部を有する端末装置に搭載されるコンピュータに、
表示部のタッチ画面でのタッチ操作位置を検出する位置検出ステップと、
装置筐体の向きを検出する向き検出ステップと、
前記向き検出ステップにより検出された装置筐体の向きから表示の向きを判別する向き判別ステップと、
表示部のタッチ画面において、前記位置検出ステップにより検出されたタッチ操作位置に、前記向き判別ステップにより判別された表示の向きに応じたソフトウェアキーを表示する表示制御ステップと、
前記表示制御ステップにより表示部のタッチ画面に表示されたソフトウェアキーの表示領域よりも広い領域であって、当該ソフトウェアキーへのタッチ操作を検出するタッチ操作検出領域を設定するタッチ操作検出領域設定ステップと
を実行させることを特徴とするプログラム。
【手続補正２】
【補正対象書類名】明細書
【補正対象項目名】０００６
【補正方法】変更
【補正の内容】
【０００６】
上述した課題を解決するために請求項１記載の発明は、タッチ画面を備えた表示部を有する端末装置において、表示部のタッチ画面でのタッチ操作位置を検出する位置検出手段と、装置筐体の向きを検出する向き検出手段と、前記向き検出手段により検出された装置筐体の向きから表示の向きを判別する向き判別手段と、表示部のタッチ画面において、前記位置検出手段により検出されたタッチ操作位置に、前記向き判別手段により判別された表示の向きに応じたソフトウェアキーを表示する表示制御手段と、前記表示制御手段により表示部のタッチ画面に表示されたソフトウェアキーの表示領域よりも広い領域であって、当該ソフトウェアキーへのタッチ操作を検出するタッチ操作検出領域を設定するタッチ操作検出領域設定手段とを備えることを特徴とする。
【手続補正３】
【補正対象書類名】明細書
【補正対象項目名】０００８
【補正方法】変更
【補正の内容】
【０００８】
上記請求項１に従属する請求項２に記載の発明では、前記タッチ操作検出領域設定手段により設定された第１のタッチ操作検出領域と、他のソフトウェアキーの第２のタッチ操作検出領域との重複の有無を判別する検出領域重複判別手段を更に備え、前記タッチ操作検出領域設定手段は、前記検出領域重複判別手段により第１のタッチ操作検出領域が第２のタッチ操作検出領域に重なると判別された場合に、当該第２のタッチ操作検出領域と重ならないように第１のタッチ操作検出領域を調整することを特徴とする。
【手続補正４】
【補正対象書類名】明細書
【補正対象項目名】０００９
【補正方法】変更
【補正の内容】
【０００９】
上記請求項１に従属する請求項３に記載の発明では、前記タッチ操作検出領域設定手段により設定された第１のタッチ操作検出領域と、他のソフトウェアキーの表示領域との重複の有無を判別する表示領域重複判別手段と、前記表示領域重複判別手段により第１のタッチ操作検出領域が他のソフトウェアキーの表示領域に重なると判別された場合に、当該他のソフトウェアキーの無効を表示する無効表示手段とを更に備えることを特徴とする。
【手続補正５】
【補正対象書類名】明細書
【補正対象項目名】００１０
【補正方法】変更
【補正の内容】
【００１０】
上記請求項１に従属する請求項４に記載の発明では、前記表示制御手段は、前記位置検出手段により検出されたタッチ操作位置にタッチ操作の対象となるオブジェクトがない場合、前記ソフトウェアキーを表示することを特徴とする。
【手続補正６】
【補正対象書類名】明細書
【補正対象項目名】００１１
【補正方法】変更
【補正の内容】
【００１１】
上記請求項１に従属する請求項５に記載の発明では、前記表示制御手段は、ソフトウェアキーを表示中に、前記位置検出手段により検出されたタッチ操作位置にタッチ操作の対象となるオブジェクトがない場合、その表示中のソフトウェアキーを消去することを特徴とする。
【手続補正７】
【補正対象書類名】明細書
【補正対象項目名】００１２
【補正方法】変更
【補正の内容】
【００１２】
上記請求項１に従属する請求項６に記載の発明では、前記表示制御手段は、前記位置検出手段により検出されたタッチ操作位置が前記表示部の周辺部で該表示制御手段により表示されるソフトウェアキーが前記表示部に収まらない場合は、前記ソフトウェアキーを該表示部に収まる位置に移動して表示することを特徴とする。
【手続補正８】
【補正対象書類名】明細書
【補正対象項目名】００１３
【補正方法】変更
【補正の内容】
【００１３】
上記請求項１に従属する請求項７に記載の発明では、当該端末装置は複数の形態をとることが更に可能であって、前記複数の形態のうち現在の形態を判別する形態判別手段を更に備え、前記表示制御手段は、前記形態判別手段により判別された形態が所定の形態である場合に前記ソフトウェアキーの表示を行なうことを特徴とする。
【手続補正９】
【補正対象書類名】明細書
【補正対象項目名】００１４
【補正方法】変更
【補正の内容】
【００１４】
また、上述した課題を解決するために請求項８の発明は、タッチ画面を備えた表示部を有する端末装置に搭載されるコンピュータに、表示部のタッチ画面でのタッチ操作位置を検出する位置検出ステップと、装置筐体の向きを検出する向き検出ステップと、前記向き検出ステップにより検出された装置筐体の向きから表示の向きを判別する向き判別ステップと、表示部のタッチ画面において、前記位置検出ステップにより検出されたタッチ操作位置に、前記向き判別ステップにより判別された表示の向きに応じたソフトウェアキーを表示する表示制御ステップと、前記表示制御ステップにより表示部のタッチ画面に表示されたソフトウェアキーの表示領域よりも広い領域であって、当該ソフトウェアキーへのタッチ操作を検出するタッチ操作検出領域を設定するタッチ操作検出領域設定ステップとを実行させることを特徴とする。
【手続補正１０】
【補正対象書類名】明細書
【補正対象項目名】００１５
【補正方法】削除
【補正の内容】
【手続補正１１】
【補正対象書類名】明細書
【補正対象項目名】００１９
【補正方法】削除
【補正の内容】